(57)【要約】【課題】傾斜面に積もる雪を下ろすための除雪システムで、エネルギー供給に伴う維持コストを殆ど無くすことのできるものを得る。【解決手段】傾斜面１００上に潤滑部３を介して傾斜面１００を覆ように載せられた本体５と、本体５を雪の自重によって滑動可能に解除し除雪後元の位置に戻す解除・戻し部１と、解除後の本体５の滑動を緩衝する緩衝部２と、を備える。本体５に積もった雪の自重で、解除・戻し部１が本体５を滑動可能に解除し、本体５の滑動は緩衝部２によって止められ、この衝撃・振動によって、本体５上の雪は滑り自然に降下する。本体５上からの除雪後本体５は、解除・戻し部１により元の位置に戻る。【選択図】図１
2008002215.tif 000002
【特許請求の範囲】
【請求項１】
傾斜面に積もる雪を下ろすための除雪システムであって、
前記傾斜面上に潤滑部を介して前記傾斜面を覆ように載せられた本体と、該本体を雪の自重によって滑動可能に解除し除雪後もとの位置に戻す解除・戻し部と、前記解除後の前記本体の滑動を緩衝する緩衝部と、
を備えたことを特徴とする除雪システム。
【請求項２】
前記本体下方向の面に設けられた融雪部を備えることを特徴とする請求項１記載の除雪システム。
【請求項３】
前記解除・戻し部の解除を知らせる警報部を備えることを特徴とする請求項１叉は２に記載の除雪システム。
【請求項４】
前記警報部が、前記解除・戻し部から送られて来る解除予告信号を受けて動作することを特徴とする請求項３記載の除雪システム。
【請求項５】
前記傾斜面が屋根であることを特徴とする請求項１乃至４のいずれか１項に記載の除雪システム。
【発明の詳細な説明】
【技術分野】
【０００１】
この発明は、除雪システムに関する。特に傾斜面に積もる雪を下ろすための除雪システムに関する。
【背景技術】
【０００２】
従来から、雪国での冬の屋根などからの雪降ろし乃至除雪は、極めて大きな労働力を必要とするため、これを減らす多くの提案がされてきた。屋根に取り付けた発熱線に電気を通して発熱し融雪するもの、温水を通す導管を屋根に取り付けて、融雪するもの、高温の水蒸気を通して融雪するもの（例えば、特許文献１参照）、さらに、屋根に圧電素子を接合して振動板としたもの（例えば、特許文献２参照）などである。また、機械的に、伸縮する雪降ろしアームを屋根に設け回転させるものもある（例えば、特許文献３参照）。
【特許文献１】特開２００５−３１５０６１号公報（要約書、図１）
【特許文献２】特開２００５−１０５７８９号公報（要約書、図２）
【特許文献３】特開２００３−１９３６４５号公報（要約書、図１）
【発明の開示】
【発明が解決しようとする課題】
【０００３】
しかしながら、上記の従来の提案は、作業労働力を減らすものの、電気、熱水、水蒸気、アームの回転などのエネルギー供給を使用時は常に行わなければならず、それらの維持コストが掛かる。そこで、本発明が、解決しようとする課題は、エネルギー供給に伴う維持コストを殆ど無くすことのできる除雪システムを提供することにある。
【課題を解決するための手段】
【０００４】
上記課題を解決するため、本発明では、傾斜面に積もる雪を下ろすための除雪システムで、前記傾斜面上に潤滑部を介して前記傾斜面を覆ように載せられた本体と、該本体を雪の自重によって滑動可能に解除し除雪後もとの位置に戻す解除・戻し部と、前記解除後の前記本体の滑動を緩衝する緩衝部と、を備えた除雪システムとする。これによって、本体に積もった雪の自重で、解除・戻し部が本体を滑動可能に解除し、本体の滑動は緩衝部によって止められ、この衝撃・振動によって、本体上の雪は滑り自然に降下する。本体上からの除雪後本体は、解除・戻し部によりもとの位置に戻る。このため、エネルギー供給に伴う維持コストを殆ど無くすことができる。
【０００５】
また、前記本体下方向の面に設けられた融雪部を備える除雪システムとすれば、本体と接触する雪を若干融かすことで、雪はより滑りやすくなり、雪が上記の衝撃・振動によって、自然に降下し易くなる。
【０００６】
また、前記解除・戻し部の解除を知らせる警報部を備える除雪システムとすれば、降雪時の安全を確保できる。
【０００７】
また、前記警報部が、前記解除・戻し部から送られて来る解除予告信号を受けて動作する除雪システムとすれば、確実な安全確保を可能と出きる。
【０００８】
また、前記傾斜面が屋根である除雪システムとすれば、危険な屋根からの雪降ろし作業をエネルギー供給が殆どなしに達成できる。
【発明の効果】
【０００９】
本発明の除雪システムによれば、本体に積もった雪の自重で、解除・戻し部が本体を滑動可能に解除し、本体の滑動は緩衝部によって止められ、この衝撃・振動によって、本体上の雪は滑り自然に降下する。本体上からの除雪後本体は、解除・戻し部によりもとの位置に戻る。このため、人の作業労働力をほぼ無くすと共にエネルギー供給に伴う維持コストを殆ど無くすことができる。
【発明を実施するための最良の形態】
【００１０】
以下本発明の実施の形態を図を参照しつつ説明する。
【００１１】
図１は、本発明による一実施の形態としての除雪システムの概念説明用断面図である。この図１は、積雪の無い通常時の状態を示している。
【００１２】
屋根等の傾斜面１００に積もる雪を下ろすための除雪システム１０は、傾斜面１００上に潤滑部３を介して傾斜面１００を覆ように載せられた本体５と、本体５を雪２０（図２に示す）の自重によって滑動可能に解除し除雪後元の位置に戻す解除・戻し部１と、解除後の本体５の滑動を緩衝する緩衝部２と、を備える。また、この例では、本体５下方向の面に融雪部４を設けている。
【００１３】
また、解除・戻し部１の解除を知らせる警報部６を設ける。この場合、解除・戻し部１には、解除予告部１ｆが設けられる。解除予告部１ｆは、雪２０の自重による引き力を計測する計測要素１ｆａａを備えた引き力測定部１ｆａとこの測定結果に基づき解除予告信号を発生する解除予告信号発生部１ｆｂとを含んでなる。警報部６は解除予告部１ｆすなわち解除予告信号発生部１ｆｂからの解除予告信号を受けて警報動作を行う。
【００１４】
この例では、上記の本体５は、潤滑部３と接する基部５ａと傾斜面１００を覆う覆い部５ｂと両者を繋ぐ繋ぎ部５ｃとからなっている。融雪部４は、覆い部５ｂの下方向の面に設けられ、解除・戻し部１と緩衝部２とは、覆い部５ｂに覆われてその下に配置される。
【００１５】
上記の解除・戻し部１は、この例では、傾斜面１００に固定される固定部１ｃを持つ引きバネ１ｂと、引きバネ１ｂの先端の曲がり部１ｂａとそれに絡む曲がり部１ｄａを持ち本体５に他端を固定されたフック１ｄとでフック部１ａを形成する。それぞれの先端の曲がり部１ｂａと１ｄａとは、絡んでいる状態を通常は保つが、強い引き力が掛かるとたわんで、曲がり部の絡みが外れる弾性を有する。また、引きバネ１ｂの曲がり部１ｂａを除く先端部に一方を固定され、他方を本体５に固定された伸縮可能な弾性部材１ｂｅを備える。上記の計測要素１ｆａａは、例えばストレンゲージなどで、この例ではこの弾性部材１ｂｅに貼り着けられている。引きバネ１ｂとフック１ａからなる例を示したが、フックは対の強力な永久磁石或は電磁石とすることも可能である。
【００１６】
緩衝部２は、本体５の下方端この例では、基部５ａの下方端５ａｂに接するように傾斜面１００に固定されて設けられる。気体或は流体式のダンパ、コイルバネなどのバネから構成することが可能である。
【００１７】
潤滑部３は、本体５のここでは基部５ａの下の傾斜面１００は設けられたベアリング３ａ、レール式キャスタ（レールに載せられたキャスタ）構造であることができる。
【００１８】
融雪部４は、この例では覆い部５ｂの下方向の面に設けられるが、太陽パネルを電源とする発熱部、商用電源叉は蓄電池からの電熱線、地下水の供給面等とすることが可能である。この融雪部４により、覆い部５ｂと接触する雪を若干融かすことで、積雪した雪が落ちやすくなる。
【００１９】
次に、上記の実施の形態の作用について、図１乃至図４を参照しつつ説明する。図１は、積雪の無い通常時の状態を示し、図２は積雪のある状態を示し、図３は落雪時の状態を示す。図４は図１の通常時状態への戻り状態を示す。
【００２０】
図１の状態に在った除雪システムは、図２に示すように、本体５に積もった雪２０の自重で、解除・戻し部１が本体５を滑動可能に矢印Ｙ方向に解除しはじめる。図３に示すように本体５の滑動はフック部１ａの曲がり部１ｂａと１ｄａとが強い引き力が掛かるとたわんで、曲がり部１ｂａと１ｄａの絡みが外れる。これによって、本体５は、雪２０を載せたまま潤滑部３によって、左下方に急激に発進する。緩衝部２によって本体５の滑動は止められ、このときの衝撃・振動によって、本体５上の雪２０は本体５上を滑り自然に降下する。本体５からの除雪後に本体５は、図４の矢印Ｚ方向に、解除・戻し部１により動かされ、フック部１ａの曲がり部１ｂａと１ｄａとは、再び絡んで、通常時の元の位置に戻る。これは、弾性部材１ｂｅを含む引きバネ１ｂによって、雪２０の重みをなくした本体５が元の位置に戻されることによる。さらに、融雪部４の設置によって、雪２０はより滑りやすくなり、雪２０が上記の衝撃・振動によって、自然に降下し易くなる。
【００２１】
また、この例では、解除・戻し部１に解除予告部１ｆを設けて、解除前に解除予告信号を発生して、警報部６に送る。この予告時刻は、人の退避ため１０乃至２０秒前から解除までの期間継続して出されることが望ましい。こうして、除雪時の確実な安全確保を可能とできる。
【００２２】
以上のように、上記の実施形態では、危険な屋根からの雪降ろし作業を、エネルギー供給が殆どなしに達成でき、エネルギー供給に伴う維持コストを殆ど無くすことができる。
【００２３】
さらに、除雪され屋根などの傾斜面から落とされた雪は、傾斜面のある建築物等の周りに融雪部を設けて融雪すれば、建築物等の周辺の除雪も完全に行うことができる。特に、入り口の部分や窓のある部分に、このような融雪部を設けて融雪すれば、屋根から落とした雪が出入り口を塞ぐことを防止し、部屋の明るさを確保できる。
【産業上の利用可能性】
【００２４】
以上のように、本発明による除雪システムでは、本体を雪の自重によって滑動可能に解除し除雪後もとの位置に戻す解除・戻し部により、本体に積もった雪の自重で、解除・戻し部が本体を滑動可能に解除し、緩衝部によって止められ、この衝撃・振動によって、本体上の雪は滑り自然に降下する。このため、人の作業労働力をほぼ無くすと共にエネルギー供給に伴う維持コストを殆ど無くすことができ、有用であり、産業上の利用可能性は高い。
【図面の簡単な説明】
【００２５】
【図１】本発明による一実施の形態としての除雪システムの概念説明用断面図である。積雪の無い通常時の状態を示す。
【図２】図１の除雪システムの積雪のある状態を示す概念説明用断面図である。
【図３】図１の除雪システムの落雪時の状態を示す概念説明用断面図である。
【図４】図１の除雪システムの通常時状態への戻り状態を示す概念説明用断面図である。
【符号の説明】
【００２６】
１  解除・戻し部、１ａ  フック部、１ｂ  引きバネ、１ｂａ  曲がり部、１ｂｅ  弾性部材、１ｃ  固定部、１ｄ  フック、１ｄａ  曲がり部、１ｆ  解除予告部、１ｆａ  引き力測定部、１ｆａａ  計測要素、１ｆｂ  解除予告信号発生部、２  緩衝部、３  潤滑部、３ａ  ベアリング、４  融雪部、５  本体、５ａ  基部、５ａｂ  下方端、５ｂ  覆い部、５ｃ  繋ぎ部、６  警報部、１０  除雪システム、２０  雪、Ｙ  矢印、Ｚ  矢印、１００  傾斜面。
【図１】
2008002215.tif 000003
【図２】
2008002215.tif 000004
【図３】
2008002215.tif 000005
【図４】
2008002215.tif 000006